【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
演出態様を表示可能な表示手段と、
その表示手段に前記演出態様を表示させる表示制御手段と、
遊技機の電源が遮断された電断状態でも計時可能な第１手段と、を有した遊技機において、
前記第１手段が計時する計時情報を取得可能な取得手段と、
その取得手段により取得された前記計時情報が記憶される計時情報記憶手段と、
電源投入に基づいて、前記計時情報が前記取得手段により前記第１手段から取得されて前記計時情報記憶手段に記憶されるように制御可能な第１記憶制御手段と、
その第１記憶制御手段により記憶された計時情報を用いて、前記表示制御手段により表示される演出態様を特定の演出態様に切り替えるか判断する演出切替判断手段と、を有し、
前記第１手段は、
所定の情報を記憶可能であり、前記電断状態でも記憶された情報を保持可能な電断記憶手段を有し、
前記遊技機は、
前記電断状態となる場合に、前記計時情報記憶手段に記憶されている前記計時情報が前記電断記憶手段に記憶されるように制御する第２記憶制御手段を有するものであることを特徴とする遊技機。
【請求項２】
前記第１手段は、予め定めた特定の時間間隔で計時を実行するものであることを特徴とする請求項１記載の遊技機。
【手続補正２】
【補正対象書類名】明細書
【補正対象項目名】０００４
【補正方法】変更
【補正の内容】
【０００４】
しかしながら、かかる遊技機において、演出を好適に実行できなくなってしまう虞があった。
【手続補正３】
【補正対象書類名】明細書
【補正対象項目名】０００５
【補正方法】変更
【補正の内容】
【０００５】
本発明は上述した問題点を解決するためになされたものであり、演出を好適に実行することができる遊技機を提供することを目的としている。
【手続補正４】
【補正対象書類名】明細書
【補正対象項目名】０００６
【補正方法】変更
【補正の内容】
【０００６】
この目的を達成するために請求項１記載の遊技機は、演出態様を表示可能な表示手段と、その表示手段に前記演出態様を表示させる表示制御手段と、遊技機の電源が遮断された電断状態でも計時可能な第１手段と、を有するものであり、前記第１手段が計時する計時情報を取得可能な取得手段と、その取得手段により取得された前記計時情報が記憶される計時情報記憶手段と、電源投入に基づいて、前記計時情報が前記取得手段により前記第１手段から取得されて前記計時情報記憶手段に記憶されるように制御可能な第１記憶制御手段と、その第１記憶制御手段により記憶された計時情報を用いて、前記表示制御手段により表示される演出態様を特定の演出態様に切り替えるか判断する演出切替判断手段と、を有し、前記第１手段は、所定の情報を記憶可能であり、前記電断状態でも記憶された情報を保持可能な電断記憶手段を有し、前記遊技機は、前記電断状態となる場合に、前記計時情報記憶手段に記憶されている前記計時情報が前記電断記憶手段に記憶されるように制御する第２記憶制御手段を有するものである。
【手続補正５】
【補正対象書類名】明細書
【補正対象項目名】０００７
【補正方法】変更
【補正の内容】
【０００７】
請求項２記載の遊技機は、請求項１記載の遊技機において、前記第１手段は、予め定めた特定の時間間隔で計時を実行するものである。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明の遊技機によれば、演出態様を表示可能な表示手段と、その表示手段に前記演出態様を表示させる表示制御手段と、遊技機の電源が遮断された電断状態でも計時可能な第１手段と、を有するものであり、前記第１手段が計時する計時情報を取得可能な取得手段と、その取得手段により取得された前記計時情報が記憶される計時情報記憶手段と、電源投入に基づいて、前記計時情報が前記取得手段により前記第１手段から取得されて前記計時情報記憶手段に記憶されるように制御可能な第１記憶制御手段と、その第１記憶制御手段により記憶された計時情報を用いて、前記表示制御手段により表示される演出態様を特定の演出態様に切り替えるか判断する演出切替判断手段と、を有し、前記第１手段は、所定の情報を記憶可能であり、前記電断状態でも記憶された情報を保持可能な電断記憶手段を有し、前記遊技機は、前記電断状態となる場合に、前記計時情報記憶手段に記憶されている前記計時情報が前記電断記憶手段に記憶されるように制御する第２記憶制御手段を有するものである。よって、演出を好適に実行することができるという効果がある。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】０８７１
【補正方法】変更
【補正の内容】
【０８７１】
遊技機Ａ１からＡ７，Ｂ１からＢ７，Ｃ１からＣ６，Ｄ１からＤ６，Ｅ１からＥ３，Ｆ１からＦ４のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、ＲＴＣ等の計時手段を搭載し、その計時手段から取得した時刻情報に基づいて演出を異ならせることで、遊技を行う時間帯によって異なった遊技性を実現し、遊技者の遊技に対する興趣の向上を図っているものがある（例えば、特許文献１：特開２００６−１９８０３３号公報）。
しかしながら、かかる遊技機において、遊技者が遊技に集中することにより、大事な予定や約束の時間を超過して遊技を行ってしまう、また、大事な予定や約束の時間が気になって遊技に集中できないという不具合があった。
本技術的思想は上述した問題点を解決するためになされたものであり、遊技者の利便性を向上することができる遊技機を提供することを目的としている。
＜手段＞
この目的を達成するために技術的思想１の遊技機は、演出態様を表示可能な表示手段と、その表示手段に前記演出態様を表示させる表示制御手段と、遊技機への電力供給が断された状態でも計時可能な計時手段とを備え、遊技者が設定情報を設定することが可能な設定手段と、前記計時手段が計時する計時情報と、前記設定手段に設定されている設定情報とに基づいて、所定の条件が成立しているかを判別する条件判別手段と、その条件判別手段により前記所定の条件が成立していると判別された場合に、前記設定情報に基づいて報知手段により報知される報知態様を選択する報知態様選択手段とを備える。
技術的思想２の遊技機は、技術的思想１記載の遊技機において、前記表示制御手段は、前記報知態様選択手段により選択された報知態様に基づいた演出態様を、前記表示手段に表示させるものである。
技術的思想３の遊技機は、技術的思想１又は２に記載の遊技機において、前記設定手段により設定された設定情報を消去可能な消去手段を備える。
＜効果＞
技術的思想１記載の遊技機によれば、設定情報が設定手段により設定される。そして、計時手段が計時する計時情報と、設定手段に設定されている設定情報とに基づいて、所定の条件が成立しているかについて条件判別手段により判別される。ここで、その条件判別手段により所定の条件が成立していると判別された場合に、設定情報に基づいて報知手段により報知される報知態様が報知態様選択手段によって選択される。これにより、設定手段に設定情報を設定した遊技者は、報知手段による報知に基づいて所定の条件が成立したことを認識することができるので、遊技に集中するあまりに、所定の条件が成立したことに気づかずに遊技を継続してしまうことを抑制できる。よって、遊技者の利便性を向上することができるという効果がある。
技術的思想２記載の遊技機によれば、技術的思想１記載の遊技機の奏する効果に加え、次の効果を奏する。即ち、報知態様選択手段により選択された演出態様が表示制御手段により表示手段に表示される。これにより、所定の条件が成立した場合に、遊技者が遊技において注目する頻度の高い箇所である表示手段に、報知態様に基づいた演出態様が表示されるので、遊技者が報知に気づかずに遊技を続行してしまうことを抑制することができるという効果がある。
技術的思想３記載の遊技機によれば、技術的思想１又は２に記載の遊技機の奏する効果に加え、次の効果を奏する。即ち、設定手段により設定された設定情報が消去手段により消去される。これにより、他の遊技者が設定手段により設定したが、設定情報に基づく所定の条件が成立する前に遊技を辞めてしまった場合に、消去手段に拠り設定情報を消去しておくことができる。よって、次にその遊技機で遊技を行う遊技者が、前の遊技者が設定した設定情報に基づく所定の条件が成立したことにより報知手段によって報知されてしまうことを抑制することができる。従って、報知手段による報知が遊技の邪魔になることで、遊技者に対して煩わしさを感じさせてしまうことを抑制することができるという効果がある。
【手続補正１１】
【補正対象書類名】明細書
【補正対象項目名】０８７２
【補正方法】変更
【補正の内容】
【０８７２】
１０                      パチンコ機（遊技機）
２３                      操作入力部（設定手段）
８１                      第３図柄表示装置（表示手段）
１１４                    表示制御装置（表示制御手段）
２２３ｆ 時刻情報格納エリア（計時情報記憶手段）
２６２                    計時装置（第１手段）
３５２ｂ 投入時刻格納エリア（電断記憶手段）
Ｓ１３１７ 第２記憶制御手段
Ｓ１５０４ 取得手段
Ｓ１５０５ 第１記憶制御手段
Ｓ１６０４，Ｓ１６０９ 演出切替判断手段
Ｓ４００３                条件判別手段
Ｓ４１０１                報知態様選択手段の一部